(57)【要約】【課題】扉体を自動的に開放できるようにした食器洗い機において、扉体の開放速度を扉体開放途中から減速させ扉体開成時の衝撃を緩和することで、使用時の煩わしさを解消し、高品質な食器洗い機を提供する。【解決手段】第１のスプリング３９により上扉体２４と下扉体２５を連動して自動的に閉成状態から開成状態まで開放するとともに、減速機構により上扉体２４と下扉体２５の自動開放動作を扉体の開放途中から減速させるよう構成する。減速機構は、扉体の開放途中から開成にかけて上支持部材２６の一部と当接するように第２のスプリング４２で付勢された摺動部材４０により構成し、第２のスプリング４２は一端を摺動部材４０に取り付けるとともに他端を連動手段３０に取り付け、扉体の開放量が大きくなるのに応じて摺動部材４０への付勢力と連動手段３０を扉体閉塞方向へ付勢する力がそれぞれ大きくなるよう構成する。【選択図】  図１
2004305298.tif 000002
【特許請求の範囲】
【請求項１】
食器洗い機本体と、前記食器洗い機本体内に設けた洗浄槽と、前記洗浄槽に設けた開口部を開閉する複数の扉体と、前記複数の扉体を開閉自在に支持する複数の支持部材と、前記複数の扉体を連動させる連動手段と、前記複数の扉体を連動して自動的に閉成状態から開成状態まで開放する自動開放機構と、前記複数の扉体の自動開放動作を扉体の開放途中から減速させる減速機構とを備え、前記減速機構は、前記扉体の開放途中から開成にかけて前記支持部材の少なくとも１つの一部と当接するように弾性体で付勢された摺動部材により構成し、前記弾性体は一端を前記摺動部材に取り付けるとともに他端を前記連動手段に取り付け、前記扉体の開放量が大きくなるのに応じて前記摺動部材への付勢力と前記連動手段を扉体閉塞方向へ付勢する力がそれぞれ大きくなるよう構成した食器洗い機。
【請求項２】
複数の扉体を連動して自動的に閉成状態から開成状態まで開放させるよう連動手段に弾性体の一端を取り付け、前記弾性体の他端を摺動部材に取り付け、前記弾性体は前記扉体の開放初期は前記連動手段を扉体開放方向へ付勢し、前記扉体の開放途中から前記扉体の開放量が大きくなるのに応じて、前記摺動部材への付勢力と前記連動手段を扉体閉塞方向へ付勢する力がそれぞれ大きくなるよう構成した請求項１記載の食器洗い機。
【請求項３】
食器洗い機本体と、前記食器洗い機本体内に設けた洗浄槽と、前記洗浄槽に設けた開口部を開閉する複数の扉体と、前記複数の扉体を開閉自在に支持する複数の支持部材と、前記複数の扉体を連動させる連動手段と、前記複数の扉体を連動して自動的に閉成状態から開成状態まで開放する自動開放機構と、前記複数の扉体の自動開放動作を扉体の開放途中から減速させる減速機構とを備え、前記減速機構は、扉体の開放途中から開成にかけて前記支持部材の一部と当接するように弾性体で付勢された摺動部材により構成し、前記支持部材の前記摺動部材との当接部に複数段階に段差を設けた食器洗い機。
【発明の詳細な説明】
【０００１】
【発明の属する技術分野】
本発明は、扉体を自動的に開放できるようにした食器洗い機に関する。
【０００２】
【従来の技術】
従来、この種の食器洗い機は、図５に示すように構成していた。以下、その構成について説明する。
【０００３】
図５に示すように、扉体１は、扉軸２を中心にして、食器洗い機本体３の下部に開閉自在に取り付けており、食器洗い機本体３の前面開口部を覆うよう構成している。扉体１の上部には開閉する際に掴むための把手部４と、スイッチ５により解除されるロック手段６とを設けており、閉成状態で保持できるよう構成している。また、食器洗い機本体３は、内部に洗浄槽７を設けており、この洗浄槽７は、内部に食器かご８を配置している。
【０００４】
食器洗い機の基本的な動作は、一般的によく知られているので、以下に簡単に述べると、使用者がスイッチ５によりロック手段６を解除し、その後、把手部４を持って扉体１を開放し、食器洗い機本体３内の洗浄槽７に設置された食器かご８に汚れた食器類９をセットする。
【０００５】
つぎに、扉体１を閉め、ロック手段６により扉体１を閉成状態に保持し、運転を開始すると、洗浄槽７の底部に配置されたヒータによって洗浄水を加熱しながら、洗浄ノズル１０から食器類９に向かって噴射し、食器類９の汚れを落とす洗浄行程を行う。その後、食器類９をすすいだ後、食器類９を乾かす乾燥行程を行って運転が終了する。
【０００６】
また、他の食器洗い機として、図６に示すように、食器洗い機本体１１に設けた２個の扉体１２、１３を上下方向に各々回動して洗浄槽１４の前面開口部を開閉する構成のものがある。この食器洗い機では、扉体を複数に分割することで、上述した１枚扉の食器洗い機より食器洗い機の前方の設置スペースを小さくすることができる。さらに、連動手段１５によって、扉体１２、１３は連結されており、扉体１２を持って開放すれば、同時に他方の扉体１３も開放するようになっている（例えば、特許文献１参照）。この食器洗い機も上述した基本動作を行う。
【０００７】
【特許文献１】
特開昭５０−２６３５６号公報（図６）
【０００８】
【発明が解決しようとする課題】
このような従来の構成で、図５に示す構成では、ロック手段６を解除するスイッチ５と扉体１を開くための把手部４が別々となっているため、扉体１を開ける際には、スイッチ５によりロック手段６を解除し、把手部４をつかみ直す必要がある。また、扉体１は閉塞方向に付勢されているため、把手部４を開放終了まで掴んで開けなければならなく、煩わしく使い勝手に劣るという問題を有している。
【０００９】
また、図６に示すように、複数の扉体１２、１３を連動手段１５によって回動自在に連結した場合でも、扉体１２、１３の開放に関して１枚扉と同様の問題を有している。
【００１０】
また、上述した煩わしさを解消するために、図７に示すように、扉体１６、１７を連動して自動的に開放するよう引張りコイルばね１８を設けた場合、扉体１６、１７の開放時に下扉支持部材１９がストッパー部２０に当接するときの衝撃による、衝撃音の発生や扉体のリバウンドという問題を有している。
【００１１】
本発明は上記従来の課題を解決するもので、自動開放機構により複数の扉体を自動的に連動して開放し、かつ、扉体の開放速度を扉体開放途中から減速させ扉体開成時の衝撃を緩和することで、使用時の煩わしさを解消し、かつ、高品質な食器洗い機を提供することを目的としている。
【００１２】
【課題を解決するための手段】
本発明は上記目的を達成するために、食器洗い機本体内に洗浄槽を設け、この洗浄槽に設けた開口部を複数の扉体により開閉し、複数の扉体を複数の支持部材により開閉自在に支持するとともに連動手段により連動させ、自動開放機構により複数の扉体を連動して自動的に閉成状態から開成状態まで開放するとともに、減速機構により複数の扉体の自動開放動作を扉体の開放途中から減速させるよう構成し、減速機構は、扉体の開放途中から開成にかけて支持部材の少なくとも１つの一部と当接するように弾性体で付勢された摺動部材により構成し、弾性体は一端を摺動部材に取り付けるとともに他端を連動手段に取り付け、扉体の開放量が大きくなるのに応じて摺動部材への付勢力と連動手段を扉体閉塞方向へ付勢する力がそれぞれ大きくなるよう構成したものである。
【００１３】
これにより、自動開放機構により複数の扉体を自動的に連動して開放することができ、かつ、扉体開放途中から扉体の開放量に応じて、摺動部材と支持部材の摺動抵抗と連動手段への扉体閉塞方向への付勢力を大きくするよう構成することにより、効果的に扉体の開放速度を減速して、扉体開成時の衝撃を緩和することができ、使用時の煩わしさを解消できて、高品質な食器洗い機を提供することができる。
【００１４】
【発明の実施の形態】
本発明の請求項１に記載の発明は、食器洗い機本体と、前記食器洗い機本体内に設けた洗浄槽と、前記洗浄槽に設けた開口部を開閉する複数の扉体と、前記複数の扉体を開閉自在に支持する複数の支持部材と、前記複数の扉体を連動させる連動手段と、前記複数の扉体を連動して自動的に閉成状態から開成状態まで開放する自動開放機構と、前記複数の扉体の自動開放動作を扉体の開放途中から減速させる減速機構とを備え、前記減速機構は、前記扉体の開放途中から開成にかけて前記支持部材の少なくとも１つの一部と当接するように弾性体で付勢された摺動部材により構成し、前記弾性体は一端を前記摺動部材に取り付けるとともに他端を前記連動手段に取り付け、前記扉体の開放量が大きくなるのに応じて前記摺動部材への付勢力と前記連動手段を扉体閉塞方向へ付勢する力がそれぞれ大きくなるよう構成したものであり、自動開放機構により複数の扉体を自動的に連動して開放することができ、かつ、扉体開放途中から扉体の開放量に応じて、摺動部材と支持部材の摺動抵抗と連動手段への扉体閉塞方向への付勢力を大きくするよう構成することにより、効果的に扉体の開放速度を減速して、扉体開成時の衝撃を緩和することができ、使用時の煩わしさを解消できて、高品質な食器洗い機を提供することができる。
【００１５】
請求項２に記載の発明は、上記請求項１に記載の発明において、複数の扉体を連動して自動的に閉成状態から開成状態まで開放させるよう連動手段に弾性体の一端を取り付け、前記弾性体の他端を摺動部材に取り付け、前記弾性体は前記扉体の開放初期は前記連動手段を扉体開放方向へ付勢し、前記扉体の開放途中から前記扉体の開放量が大きくなるのに応じて、前記摺動部材への付勢力と前記連動手段を扉体閉塞方向へ付勢する力がそれぞれ大きくなるよう構成したものであり、扉体の自動開放と、扉体開放途中からの扉体開放速度の減速を同一の弾性体により構成することで、部品点数の削減による、コストダウン、組立工数の削減を実現することができる。
【００１６】
請求項３に記載の発明は、食器洗い機本体と、前記食器洗い機本体内に設けた洗浄槽と、前記洗浄槽に設けた開口部を開閉する複数の扉体と、前記複数の扉体を開閉自在に支持する複数の支持部材と、前記複数の扉体を連動させる連動手段と、前記複数の扉体を連動して自動的に閉成状態から開成状態まで開放する自動開放機構と、前記複数の扉体の自動開放動作を扉体の開放途中から減速させる減速機構とを備え、前記減速機構は、扉体の開放途中から開成にかけて前記支持部材の一部と当接するように弾性体で付勢された摺動部材により構成し、前記支持部材の前記摺動部材との当接部に複数段階に段差を設けたものであり、自動開放機構により複数の扉体を自動的に連動して開放することができ、かつ、扉体の開放速度を支持部材の複数段階の段差部と摺動部材の当接により段階的に減速させることで、スムーズに扉体を開放させることができ、使用時の煩わしさを解消できて、高品質な食器洗い機を提供することができる。
【００１７】
【実施例】
以下、本発明の実施例について、図面を参照しながら説明する。
【００１８】
（実施例１）
図１に示すように、食器洗い機本体２１は、内部に洗浄槽２２を設けており、この洗浄槽２２は、内部に食器かご２３を配置している。洗浄槽２２は前方に開口部を有し、この開口部は上扉体（扉体）２４と下扉体（扉体）２５とで閉塞されている。上扉体２４は上支持部材（支持部材）２６によって、また、下扉体２５は下支持部材（支持部材）２７によって、それぞれ上固定枢軸２８、下固定枢軸２９とで洗浄槽２２の左右両側に回転自在に軸支されている。
【００１９】
ここで、上支持部材２６と上固定枢軸２８は、上扉体２４が開成時に食器洗い機本体２１の上方に回動するよう構成しており、下支持部材２７と下固定枢軸２９は、下扉体２５が食器洗い機本体２１の前方へ回動するよう構成している。
【００２０】
また、連動手段３０を上連結枢軸３１により上支持部材２６に軸支し、下連結枢軸３２により下支持部材２７に軸支することにより、上支持部材２６と下支持部材２７を連動し、上扉体２４と下扉体２５を連動して開閉するよう構成している。
【００２１】
洗浄槽２２にはストッパー部３３を設けており、下支持部材２７と当接することで、扉体（上扉体２４と下扉体２５）の開成状態を維持するよう構成している。
【００２２】
下扉体２５には押しボタンスイッチ３４と、下扉体２５を閉成状態に保持するロック手段３５とを設け、押しボタンスイッチ３４と連動して、洗浄槽２２に設けた係止部３６からロック手段３５を解除できるよう構成している。上扉体２４および下扉体２５と洗浄槽２２の開口部は、弾性体で形成されたシール部材（図示せず）によりシールされている。
【００２３】
連動手段３０に設けた第１の保持部３７と、洗浄槽２２に設けた第２の保持部３８を自動開放機構を構成する第１のスプリング３９（引張りコイルばね）で連結し、扉体が自動的に開放するよう付勢している。
【００２４】
また、洗浄槽２２に上支持部材２６の一部と当接するよう摺動部材４０を軸支し、摺動部材４０に設けた第３の保持部４１に弾性体を構成する第２のスプリング（引張りコイルばね）４２を取り付け、摺動部材４０が上支持部材２６との当接部４３に扉体を閉塞する方向へ負荷を加えるよう構成している。第２のスプリング４２は、他端を連動手段３０に設けた第４の保持部４４に取り付けている。第３の保持部４１と第４の保持部４４は、扉体の開放途中から扉体の開放量が大きくなるのに応じて、第２のスプリング４２が摺動部材４０を付勢する力と連動手段３０を扉体閉塞方向へ付勢する力がそれぞれ大きくなるような位置に設けている。
【００２５】
上支持部材２６に設けた当接部４３は、２段階の段形状になっており、扉体の開放途中から開成にかけて摺動部材４０と当接し、扉体の開放速度を２段階に減速している。
【００２６】
上記構成において動作を説明する。押しボタンスイッチ３４を作動することで、ロック手段３５が解除され、第１のスプリング３９により開放側に付勢された連動手段３０により、上支持部材２６と下支持部材２７はそれぞれ上固定枢軸２８と下固定枢軸２９を中心に回動することで、上扉体２４と下扉体２５は、図１に示す閉成状態から、図２に示すように、上扉体２４が食器洗い機本体２１の上方に回動する開成状態まで自動的に開放することができる。
【００２７】
上扉体２４が上方に回動することで、上扉体２４の前方への出代をなくすことができ、洗浄槽２２の前面開口部の間口を広くとれ、食器かご２３への食器類のセット性をよくすることができる。
【００２８】
ここで、扉体（上扉体２４と下扉体２５）の開放初期は、上扉体２４とシール部材との摺動があるため、摺動抵抗のばらつきを考慮して、扉体が確実に開放するよう第１のスプリング３９の開放側への付勢力は大きめに設定しておく必要がある。
【００２９】
扉体の開放途中から開成にかけて、摺動部材４０が当接部４３に扉体を閉塞する方向へ負荷を加え、第２のスプリング４２が連動手段３０を扉体閉塞方向へ付勢することで扉体の開放速度を減速させることができ、扉体開成時の下支持部材２７とストッパー部３３の衝撃を緩和することができる。
【００３０】
ここで、扉体の自重による開放方向のモーメントは扉体の開放量に比例して大きくなるので、効果的に扉体の開放速度を減速させるために、第２のスプリング４２の摺動部材４０への付勢力と連動手段３０を扉体閉塞方向へ付勢する力が扉体の開放量に応じてそれぞれ大きくなるよう構成している。
【００３１】
さらに、当接部４３は２段階の段形状になっており、扉体の開放速度を段階的に減速させることができ、スムーズな扉体の開放動作を実現できる。
【００３２】
ここで、扉体の開放途中から扉体の開放速度を減速させるのは、扉体の開放初期は既に上扉体２４とシール部材との摺動抵抗があるため、それ以上の摺動抵抗が加わると、開放初期位置で扉体が開かない可能性があるためである。
【００３３】
このように本実施例によれば、第１のスプリング３９（自動開放機構）により上扉体２４と下扉体２５を連動して自動的に閉成状態から開成状態まで開放するとともに、減速機構により上扉体２４と下扉体２５の自動開放動作を扉体の開放途中から減速させるよう構成し、減速機構は、扉体の開放途中から開成にかけて上支持部材２６の一部と当接するように第２のスプリング４２で付勢された摺動部材４０により構成し、第２のスプリング４２は一端を摺動部材４０に取り付けるとともに他端を連動手段３０に取り付け、扉体の開放量が大きくなるのに応じて摺動部材４０への付勢力と連動手段３０を扉体閉塞方向へ付勢する力がそれぞれ大きくなるよう構成したので、扉体開放途中から扉体の開放量に応じて、摺動部材４０と上支持部材２６の摺動抵抗と連動手段３０への扉体閉塞方向への付勢力を大きくするよう構成することにより、効果的に扉体の開放速度を減速して、扉体開成時の衝撃を緩和することができ、使用時の煩わしさを解消できる。
【００３４】
また、上支持部材２６の摺動部材４０との当接部に２段階に段差を設けたので、扉体の開放速度を上支持部材２６の２段階の段差部と摺動部材４０の当接により段階的に減速させることで、スムーズに扉体を開放させることができ、使用時の煩わしさを解消できる。
【００３５】
なお、本実施例では、扉体を自動的に開放させる手段として第１のスプリング３９（引張りコイルばね）を使用しているが、ゴム等の弾性体でも同様の効果を得ることができる。また、扉体もしくは食器洗い機本体２１の少なくとも一方にソレノイド等により可動するピンを設けて、押しボタンスイッチ３４と連動して扉体を押し開くよう構成しても同様の効果を得ることができる。
【００３６】
（実施例２）
図３に示すように、洗浄槽４５に上支持部材４６の一部と当接するよう摺動部材４７を軸支し、摺動部材４７に設けた第５の保持部４８に第３のスプリング（引張りコイルばね）４９を取り付け、摺動部材４７が上支持部材４６との当接部５０に扉体（上扉体５６と下扉体５７）を閉塞する方向に負荷を加えるよう構成している。第３のスプリング４９は、他端を連動手段５１に設けた第６の保持部５２に取り付けている。
【００３７】
第５の保持部４８と第６の保持部５２は、第３のスプリング４９が、扉体開放初期は連動手段５１を扉体開放方向へ付勢し、扉体開放途中からは扉体の開放量が大きくなるのに応じて、摺動部材４７を付勢する力と連動手段５１を扉体閉塞方向へ付勢する力がそれぞれ大きくなるような位置に設けている。
【００３８】
上記構成において動作を説明する。押しボタンスイッチ５３を作動することで、ロック手段５４が解除され、第３のスプリング４９により開放側に付勢された連動手段５１により、上支持部材４６と下支持部材５５が回動することで、上扉体５６と下扉体５７は、図３に示す閉成状態から、図４に示す開成状態まで自動的に開放することができる。
【００３９】
扉体（上扉体５６と下扉体５７）の開放途中から開成にかけて、摺動部材４７が当接部５０に扉体を閉塞する方向へ負荷を加え、第３のスプリング４９が連動手段５１を扉体閉塞方向へ付勢することで、扉体の開放速度を減速させることができ、扉体開成時の下支持部材５５とストッパー部５８の衝撃を緩和することができる。
【００４０】
このように本実施例によれば、扉体を自動開放させるための連動手段５１への付勢と、扉体開放途中から開成にかけて扉体開放速度を減速させるための連動手段５１と摺動部材４７への付勢を第３のスプリング４９のみで行うことで、上記実施例１の食器洗い機より部品点数を減らすことができ、コストダウン、組立工数の削減が実現できる。
【００４１】
【発明の効果】
以上のように本発明の請求項１に記載の発明によれば、複数の扉体の自動開放動作を扉体の開放途中から減速させる減速機構を備え、減速機構は扉体の開放途中から開成にかけて支持部材の一部と当接するように弾性体で付勢された摺動部材により構成し、弾性体は一端を摺動部材に他端を連動手段に取り付け扉体の開放量が大きくなるのに応じて摺動部材への付勢力と連動手段を扉体閉塞方向へ付勢する力がそれぞれ大きくなるよう構成したから、自動開放機構により複数の扉体を自動的に連動して開放し、かつ、扉体開放途中から扉体の開放量が大きくなるのに応じて、摺動部材と支持部材の摺動抵抗と連動手段への扉体閉塞方向への付勢力を大きくするよう構成することにより、効果的に扉体の開放速度を減速し、扉体開成時の衝撃を緩和することができ、使用時の煩わしさを解消し、かつ、高品質な食器洗い機を提供することができる。
【図面の簡単な説明】
【図１】本発明の第１の実施例の食器洗い機の扉体閉成状態の断面図
【図２】同食器洗い機の扉体開成状態の断面図
【図３】本発明の第２の実施例の食器洗い機の扉体閉成状態の断面図
【図４】同食器洗い機の扉体開成状態の断面図
【図５】従来の食器洗い機の一例の扉体開成状態の断面図
【図６】従来の食器洗い機の他の例の扉体開成状態の一部切り欠きした側面図
【図７】従来の食器洗い機の他の例の扉体閉成状態の断面図
【符号の説明】
２１  食器洗い機本体
２２  洗浄槽
２４  上扉体（扉体）
２５  下扉体（扉体）
２６  上支持部材（支持部材）
２７  下支持部材（支持部材）
３０  連動手段
３９    第１のスプリング（自動開放機構）
４０    摺動部材
４２    第２のスプリング（弾性体）
【図１】
2004305298.tif 000003
【図２】
2004305298.tif 000004
【図３】
2004305298.tif 000005
【図４】
2004305298.tif 000006
【図５】
2004305298.tif 000007
【図６】
2004305298.tif 000008
【図７】
2004305298.tif 000009